(57)【要約】【課題】  解除され難い連結装置の提供。【解決手段】  連結しようと２つの被連結部材に挿通する一本の連結部材と、この連結部材を囲んで被連結部材間に位置し、連結部材の周りで回転自在はスペーサと、被連結部材を超えて外側に延びる連結部材の一端に配設した締付け部材からなる連結装置。【選択図】  図１
2006010062.tif 000002
【特許請求の範囲】
【請求項１】
少なくとも２つの被連結部材に設けた開口部に差し込まれ、一端が被連結部材を超えて外側に延びるように配設された両端にネジ山を有する一本の連結部材と、被連結部材間に位置し、連結部材を囲む回転可能なスペーサと、被連結部材の外側に延びる連結部材の一端に配設した締め付け部材と、他端に配設した保持手段とを備え、前記の連結部材が切断できないように、前記のスペーサを連結部材の周囲で回転自在にした少なくとも２つの非連結部材を確実に連結させるための締め付け装置。
【請求項２】
回転可能なスペーサが強靭な材料で製造されている請求項１記載の装置。
【請求項３】
保持部材が設けられる連結部材の他端を、被連結部材の外側まで延長し、延長された他端に保持手段を設ける請求項１記載の装置。
【請求項４】
保持手段が、その弛緩にパイプレンチが使用できないような形状にある請求項３記載の装置。
【請求項５】
保持手段が、その弛緩にパイプレンチが使用できない先細りのナットである請求項４記載の装置。
【請求項６】
先細りのナットと、これが接する被連結部材の一つとの間に止め座金が設けられている請求項５記載の装置。
【請求項７】
前記の締め付け部材が、前記連結部材の一端に螺着するナットを備え、その弛緩にパイプレンチが使用できないように、当該ナットに対して回転自在な外部材を備えている請求項１記載の装置。
【請求項８】
前記の外部材が外スリーブである請求項７記載の装置。
【請求項９】
前記のナットが特別な工具を必要とするクラウンナット（菊ナット）である請求項７記載の装置。
【請求項１０】
前記のナットが複数の歯を備え、それぞれの歯が実質的に軸方向に延びる前側面と、周方向に傾斜した後側面を備えている請求項７記載の装置。
【発明の詳細な説明】
【技術分野】
【０００１】
本発明は２つの被連結部材を互いにしっかりと締め付けるための装置に関する。
【背景技術】
【０００２】
石油・ガス業界では、そのパイプ網などで石油やガスが盗まれることは問題である。従って、ハンマーレンチやパイプレンチでフランジボルトが簡単に取り外せないようにする手段の開発は、当を得たものである。
【発明の開示】
【発明が解決しようとする課題】
【０００３】
従って、本発明の目的の一つは、少なくとも２つの被連結部材を互いにしっかりと締め付けることができ、しかも、簡単には取り外さない締め付け装置を提供することにある。
【０００４】
さらに詳しく言えば、本発明は、少なくとも２つの被連結部材を互いにしっかりと締め付け、ハンマーレンチやパイプレンチでは簡単には連結を解除できない締め付け装置を提供することを目的とする。
【課題を解決するための手段】
【０００５】
本発明に係る締め付け装置は、少なくとも２つの被連結部材に設けた開口部に差し込まれて、一端が被連結部材を超えて外側に延びるように配設された両端にネジ山を有する一本の連結部材と、被連結部材間に位置し、連結部材を囲むスペーサと、被連結部材の外側に延びる連結部材の一端に配設した締め付け部材と、他端に配設した保持手段とを備え、前記の連結部材が切断できないように、前記のスペーサが連結部材の周囲で回転自在であることを特徴とする。
本発明に従って締め付け装置を設計すれば、その装置の連結部材は、道具を使用しても、容易にはこれを取り外すことができない。
【０００６】
本発明では、被連結部材の外側まで延びる連結部材の一端に、締め付け部材が配設されるが、当該連結部材の他端は、被連結部材の一つに設けた盲孔に螺着させることができる。この場合、当該盲孔が前記の保持手段として機能する。また、前記した連結部材の他端は、締め付け部材が配設される前記の一端と同様に、被連結部材の外側に突出させ、この突出部分に、パイプレンチなどが機能し難い形状の保持部材を螺着させることができる。
パイプレンチなどが機能し難い形状の保持部材の一例は、先細りナットであって、これを使用した場合には、先細りナットが接する被連結部材と、当該ナットとの間に止め座金を設けることができる。
【０００７】
本発明の装置において、回転自在なスペーサは、硬化鋼製のスペーサとすることが好ましい。また、本発明の締め付け部材には、その弛緩にパイプレンチなどが適用できないように、回転自在な外部部材を嵌め込むことが好ましい。より具体的には、本発明の締め付け部材を、前記の連結部材の一端に螺着可能なナットと、そのナットの外側に嵌って自由に回転できるスリープとで構成させることが好ましい。
【０００８】
以下に、添付図面に沿って、本発明に係る締め付け装置を具体的に説明するが、その説明は本発明を限定するものではない。
【発明を実施するための最良の形態】
【０００９】
本発明に係る装置は、図１に示すように、例えば、２つのフランジ１及び２で例示される２つの被連結部材を確実に締め付けるために使用される。この装置は、連結部材の典型例としてスタッド３を備え、そのスタッドは、フランジ１を超えて外側に延びるネジ山付き第１端部４と、フランジ２を超えて外側に延びるネジ山付き第２端部５を備えている。
【００１０】
本発明によれば、２つのフランジ１及び２の間に、部材６が設けられる。この部材は、２つのフランジ間の空所にぴったり合う硬化鋼製のスペーサであり、スタッド３を軸として回転可能である。スペーサ６は硬化鋼製であるため、スタッド３をのこぎりなどで切断することができない。従って、部材６は装置を破壊不能にしている。
【００１１】
バックナット７は、図１の具体例では保持手段として機能し、連結部材３のネジ山付き端部５に螺着されている。このバックナットは、パイプレンチなどを使用して弛められないように、先細りになっている。バックナット７は、止め座金９が収まる溝８を備えている。止め座金９は、複数の歯を備えた通常の止め座金であって差し支えなく、座金の歯は、締め付けた際、フランジ２の左側面（図１参照）に僅かに係合する。バックナット７はさらに小孔１０を備え、この小孔は、組み立てに際してバックナットを安定させるためのかんざしスパナに利用される。
【００１２】
本発明に係る装置の締め付け部材の典型例は、図１に示す安全ナット１１である。この安全ナットは、図３に示すように、外ネジ１２と、内ネジ１３と、軸方向に延びた複数の歯１４を備え、この複数の歯は、円周方向に互いに間隔を置いて並び、王冠のような形状を形成している。複数の歯１４のそれぞれは、実質的に軸方向に延びる前側面１５と、円周方向に傾斜した後側面１６を有している。
【００１３】
安全ナット１１は、その下端に肩部１９を備え、この肩部はナットの大口径部分１７と小口径部分１８との間に位置している。
【００１４】
安全ナット１１には、図２に示すように、外スリーブ２０が取り付けられ、この外スリーブには、ナット１１と肩部と協働する肩部２１が設けられている。外スリーブ２０は装甲スリーブであって差し支えなく、ナットの締め付け後はナット１１を軸に回転自在である。このため、ここへはパイプレンチが全く役に立たない。
【００１５】
ナット１１の内ネジ１３は、連結部材（スタッド）３のネジ付き端部４と係合し、ナット１１の外ネジ１２は、維持スリーブ２２の内ネジ２３と係合する（図２参照）。この維持スリーブは肩部２４を備える。
【００１６】
本発明の装置はさらに、符号２５で示すナット駆動部を備えている。このナット駆動部は、ナット１１の王冠と係合する王冠駆動ビットとして形成することができ、維持スリープ２２によってナットに連結させて置くことが可能である。
【００１７】
ナットの締め付けに際しては、内側にナット駆動部２５を嵌めた維持スリーブ１２を、ナット１１被せ、ナット１１の王冠にナット駆動部の王冠ビットが係合するまで、維持スリープをねじ込む。その後、ナット駆動部２５を回転させると、回転力が王冠の歯の四角い前側面１５に作用してナットが締め付けられる。次いで、維持スリープ２２とナット１１との螺合を解除し、維持スリープをナット駆動部と共に取り外す。ナットを弛緩させる場合は、内側にナット駆動部２５を嵌めた維持スリーブ１２を、ナット１１被せ、ナット１１の王冠にナット駆動部の王冠ビットが係合するまで、維持スリープをねじ込んでナット駆動部を逆方向に回転させる。この回転力が王冠の歯の傾斜した後側面１６に作用し、ナット１１を逆回転させ、取り外し可能にする。
【００１８】
ナットの頭が王冠形状しているため、たがねを使用してもナットを弛緩することはできない。ナットを弛めるにはたがねを王冠の歯の傾斜面にしか当てることができないからである。
【００１９】
本発明に係る締め付け装置には、手動工具、圧搾空気駆動工具又は流体（油圧）駆動工具などの普通のトルク工具を適用することができる。
【００２０】
図４は、本発明の別の実施態様を示す。このものは先に説明した実施態様と実質的に同じであって、相違点は、連結部材３′が２つのフランジ１及び２を貫いて延びていない点である。つまり、連結部材３′はフランジ１を貫き、フランジ２の盲孔にねじ止めされている。従って、フランジ２に設けた盲孔は、先の実施態様におけるバックナットと同様、保持手段として機能する。図４の実施態様でも、部材６は硬化鋼製のスペーサであって、安全ナット１１も先に説明した実施態様のそれと同じである。
【図面の簡単な説明】
【００２１】
【図１】本発明に従って２つのフランジを相互に確実に締め付けるための装置を図解した図面。
【図２】本発明に係る安全ナットの装着を示す図面。
【図３】本発明に係る安全ナットの透視図。
【図４】本発明の別の実施態様を示す図面。
【符号の説明】
【００２２】
１，２，：フランジ        ３，３′：連結部材（スタッド）
４：第１端部        ５：第２端部        ６：スペーサ
７：バックナット        １１：安全ナット        １２：外ねじ
１３：内ねじ        １４：歯          １５：四角い前側面
１６：傾斜した後側面          １９：肩部
【図１】
2006010062.tif 000003
【図２】
2006010062.tif 000004
【図３】
2006010062.tif 000005
【図４】
2006010062.tif 000006